【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信のための方法であって、
免許不要の無線周波数スペクトル帯域を通じて所定時間の間に、時間ウィンドウのインジケーションおよびページンググループインジケータを備える送信を受信することと、
前記ページンググループインジケータに基づいて、前記時間ウィンドウの間、前記免許不要の無線周波数スペクトル帯域をモニタすることと、
前記免許不要の無線周波数スペクトル帯域を通じて、前記時間ウィンドウの間に基地局から、ページングメッセージの非同期送信を受信することと
を備える、方法。
【請求項２】
前記所定時間は、クリアチャネルアセスメント（ＣＣＡ）免除送信（ＣＥＴ）プロシージャまたはリッスンビフォートーク（ＬＢＴ）プロシージャに関連付けられる、
請求項１に記載の方法。
【請求項３】
前記ページンググループインジケータは、前記ＵＥに関連付けられたページンググループに対応すると決定することをさらに備え、
前記時間ウィンドウの間、前記免許不要の無線周波数スペクトル帯域をモニタすることは、前記決定に応答するものである、
請求項１に記載の方法。
【請求項４】
前記基地局からの前記ページングメッセージの終わりのインジケーションを受信することをさらに備える、
請求項１に記載の方法。
【請求項５】
前記時間ウィンドウは、前記送信の直後の期間を備える、
請求項１に記載の方法。
【請求項６】
前記時間ウィンドウの間、前記免許不要の無線周波数スペクトル帯域をモニタすることは、
前記時間ウィンドウの前に前記ＵＥの受信機をスリープ状態からウェイクアップさせることを備える、
請求項１に記載の方法。
【請求項７】
前記ページンググループインジケータは、前記基地局に接続される各ＵＥに対応する、
請求項１に記載の方法。
【請求項８】
前記ページンググループインジケータは、前記基地局に接続されたＵＥのサブセットに対応する、
請求項１に記載の方法。
【請求項９】
前記送信は、複数のページンググループインジケータを備え、前記複数のページンググループインジケータのうちの異なるものについて異なる時間ウィンドウをシグナルする、
請求項１に記載の方法。
【請求項１０】
前記基地局からのクリアチャネルアセスメント（ＣＣＡ）に従う前記ページングメッセージの送信を受信するために、周期固定サブフレームロケーションの間、前記免許不要の無線周波数スペクトル帯域をモニタすることをさらに備える、
請求項１に記載の方法。
【請求項１１】
前記時間ウィンドウは、ＣＣＡに従う前記送信と異なる、前記免許不要の無線周波数スペクトル帯域のサブキャリア周波数のセットに関連付けられる、
請求項１０に記載の方法。
【請求項１２】
前記時間ウィンドウは、前記基地局の前記周期固定サブフレームロケーションと時間的に重複する、
請求項１０に記載の方法。
【請求項１３】
前記時間ウィンドウの前記インジケーションは、システム情報ブロックまたはマスタ情報ブロックにおいて受信される、
請求項１に記載の方法。
【請求項１４】
前記時間ウィンドウの前記インジケーションは、無線リソース制御（ＲＲＣ）メッセージにおいて受信される、
請求項１に記載の方法。
【請求項１５】
ユーザ機器（ＵＥ）におけるワイヤレス通信のための装置であって、
免許不要の無線周波数スペクトル帯域を通じて所定時間の間に、時間ウィンドウのインジケーションおよびページンググループインジケータを備える送信を受信するための手段と、
前記ページンググループインジケータに基づいて、前記時間ウィンドウの間、前記免許不要の無線周波数スペクトル帯域をモニタするための手段と、
前記免許不要の無線周波数スペクトル帯域を通じて、前記時間ウィンドウの間に基地局から、ページングメッセージの非同期送信を受信するための手段と
を備える、装置。
【請求項１６】
前記所定時間は、クリアチャネルアセスメント（ＣＣＡ）免除送信（ＣＥＴ）プロシージャまたはリッスンビフォートーク（ＬＢＴ）プロシージャに関連付けられる、
請求項１５に記載の装置。
【請求項１７】
前記ページンググループインジケータは、前記ＵＥに関連付けられたページンググループに対応すると決定するための手段をさらに備え、
前記時間ウィンドウの間、前記免許不要の無線周波数スペクトル帯域を前記モニタするための手段は、前記決定に応答して前記時間ウィンドウの間、前記免許不要の無線周波数スペクトル帯域をモニタするための手段を備える、
請求項１５に記載の装置。
【請求項１８】
ユーザ機器（ＵＥ）におけるワイヤレス通信のための装置であって、
プロセッサと、
前記プロセッサに結合されるメモリと
を備え、前記プロセッサは、
免許不要の無線周波数スペクトル帯域を通じて所定時間の間に、時間ウィンドウのインジケーションおよびページンググループインジケータを備える送信を受信することと、
前記ページンググループインジケータに基づいて、前記時間ウィンドウの間、前記免許不要の無線周波数スペクトル帯域をモニタすることと、
前記免許不要の無線周波数スペクトル帯域を通じて、前記時間ウィンドウの間に基地局から、ページングメッセージの非同期送信を受信することと
を行うように構成される、装置。
【請求項１９】
前記所定時間は、クリアチャネルアセスメント（ＣＣＡ）免除送信（ＣＥＴ）プロシージャまたはリッスンビフォートーク（ＬＢＴ）プロシージャに関連付けられる、
請求項１８に記載の装置。
【請求項２０】
前記プロセッサは、
前記ページンググループインジケータは、前記ＵＥに関連付けられたページンググループに対応すると決定することを行うように構成され、
前記免許不要の無線周波数スペクトル帯域をモニタすることを行うように構成された前記プロセッサは、前記決定に応答して前記時間ウィンドウの間、前記免許不要の無線周波数スペクトル帯域をモニタすることを行うように構成される、
請求項１８に記載の装置。
【請求項２１】
前記プロセッサは、前記基地局からの前記ページングメッセージの終わりのインジケーションを受信することを行うように構成される、
請求項１８に記載の装置。
【請求項２２】
前記時間ウィンドウは、前記送信の直後の期間を備える、
請求項１８に記載の装置。
【請求項２３】
前記時間ウィンドウの間、前記免許不要の無線周波数スペクトル帯域をモニタすることを行うように構成された前記プロセッサは、
前記時間ウィンドウの前に前記ＵＥの受信機をスリープ状態からウェイクアップさせることを行うように構成される前記プロセッサを備える、請求項１８に記載の装置。
【請求項２４】
前記ページンググループインジケータは、前記基地局に接続される各ＵＥに対応する、  請求項１８に記載の装置。
【請求項２５】
前記ページンググループインジケータは、前記基地局に接続されたＵＥのサブセットに対応する、
請求項１８に記載の装置。
【請求項２６】
前記送信は、複数のページンググループインジケータを備え、前記複数のページンググループインジケータのうちの異なるものについて異なる時間ウィンドウをシグナルする、
請求項１８に記載の装置。
【請求項２７】
ユーザ機器（ＵＥ）におけるプロセッサによって実行可能な命令を記憶するための非一時的コンピュータ可読媒体であって、
免許不要の無線周波数スペクトル帯域を通じて所定時間の間に、時間ウィンドウのインジケーションおよびページンググループインジケータを備える送信を受信するための命令と、
前記ページンググループインジケータに基づいて、基地局からのページングメッセージを受信するために前記時間ウィンドウの間、前記免許不要の無線周波数スペクトル帯域をモニタするための命令と、
前記免許不要の無線周波数スペクトル帯域を通じて、前記時間ウィンドウの間に基地局から、ページングメッセージの非同期送信を受信するための命令と
を備える、非一時的コンピュータ可読媒体。
【請求項２８】
前記所定時間は、クリアチャネルアセスメント（ＣＣＡ）免除送信（ＣＥＴ）プロシージャまたはリッスンビフォートーク（ＬＢＴ）プロシージャに関連付けられる、
請求項２７に記載の非一時的コンピュータ可読媒体。
【手続補正２】
【補正対象書類名】明細書
【補正対象項目名】０１８６
【補正方法】変更
【補正の内容】
【０１８６】
[0204]本開示の前述の説明は、当業者が本開示を作成または使用することができるように提供される。本開示の様々な変更が当業者には容易に明らかとなり、本明細書で定義される一般原理は、本開示の範囲から逸脱することなく他の変形形態に適用され得る。したがって、本開示は、本明細書で説明された例および設計に限定されるべきでなく、本明細書で開示された原理および新規の特徴に一致する最も広い範囲を与えられるべきである。  以下に本願の出願当初の特許請求の範囲に記載された発明を付記する。
［Ｃ１］
ワイヤレス通信のための方法であって、
ユーザ機器（ＵＥ）において免許不要の無線周波数スペクトル帯域を通じて所定時間の間に、時間ウィンドウのインジケーションおよびページンググループインジケータを備える送信を受信することと、
前記ページンググループインジケータに基づいて、基地局からのページングメッセージを受信するために前記時間ウィンドウの間、前記免許不要の無線周波数スペクトル帯域をモニタすることと
を備える、方法。
［Ｃ２］
前記所定時間は、クリアチャネルアセスメント（ＣＣＡ）免除送信（ＣＥＴ）プロシージャまたはリッスンビフォートーク（ＬＢＴ）プロシージャに関連付けられる、
Ｃ１に記載の方法。
［Ｃ３］
前記ページンググループインジケータは、ＵＥに関連付けられたページンググループに対応すると決定することをさらに備え、
前記時間ウィンドウの間、前記免許不要の無線周波数スペクトル帯域をモニタすることは、前記決定に応答するものである、
Ｃ１に記載の方法。
［Ｃ４］
前記基地局からの前記ページングメッセージの終わりのインジケーションを受信することをさらに備える、
Ｃ１に記載の方法。
［Ｃ５］
前記時間ウィンドウは、前記送信の直後の期間を備える、
Ｃ１に記載の方法。
［Ｃ６］
前記時間ウィンドウの間、前記免許不要の無線周波数スペクトル帯域をモニタすることは、
前記時間ウィンドウの前に前記ＵＥの受信機をスリープ状態からウェイクアップさせることを備える、
Ｃ１に記載の方法。
［Ｃ７］
前記送信は、前記ページングメッセージの少なくとも一部を備える、
Ｃ１に記載の方法。
［Ｃ８］
前記ページンググループインジケータは、前記基地局に接続される各ＵＥに対応する、
Ｃ１に記載の方法。
［Ｃ９］
前記ページンググループインジケータは、前記基地局に接続されたＵＥのサブセットに対応する、
Ｃ１に記載の方法。
［Ｃ１０］
前記送信は、複数のページンググループインジケータを備え、前記複数のページンググループインジケータのうちの異なるものについて異なる時間ウィンドウをシグナルする、
Ｃ１に記載の方法。
［Ｃ１１］
前記基地局からのクリアチャネルアセスメント（ＣＣＡ）に従う前記ページングメッセージの送信を受信するために、周期固定サブフレームロケーションの間、前記免許不要の無線周波数スペクトル帯域をモニタすることをさらに備える、
Ｃ１に記載の方法。
［Ｃ１２］
前記時間ウィンドウは、ＣＣＡに従う前記送信と異なる、前記免許不要の無線周波数スペクトル帯域のサブキャリア周波数のセットに関連付けられる、
Ｃ１１に記載の方法。
［Ｃ１３］
前記時間ウィンドウは、前記基地局の前記周期固定サブフレームロケーションと時間的に重複する、
Ｃ１１に記載の方法。
［Ｃ１４］
前記時間ウィンドウの前記インジケーションは、システム情報ブロックまたはマスタ情報ブロッククレームにおいて受信される、
Ｃ１に記載の方法。
［Ｃ１５］
前記時間ウィンドウの前記インジケーションは、無線通信リソース制御（ＲＲＣ）メッセージにおいて受信される、
Ｃ１に記載の方法。
［Ｃ１６］
ワイヤレス通信のための装置であって、
プロセッサと、
前記プロセッサに結合されるメモリと
を備え、前記プロセッサは、
ユーザ機器（ＵＥ）において免許不要の無線周波数スペクトル帯域を通じて所定時間の間に、時間ウィンドウのインジケーションおよびページンググループインジケータを備える送信を受信することと、
前記ページンググループインジケータに基づいて、基地局からのページングメッセージを受信するために前記時間ウィンドウの間、前記免許不要の無線周波数スペクトル帯域をモニタすることと
を行うように構成される、装置。
［Ｃ１７］
前記所定時間は、クリアチャネルアセスメント（ＣＣＡ）免除送信（ＣＥＴ）プロシージャまたはリッスンビフォートーク（ＬＢＴ）プロシージャに関連付けられる、
Ｃ１６に記載の装置。
［Ｃ１８］
前記プロセッサは、
前記ページンググループインジケータは、前記ＵＥに関連付けられたページンググループに対応すると決定することを行うように構成され、
前記時間ウィンドウの間、前記免許不要の無線周波数スペクトル帯域をモニタすることを行うように構成されたプロセッサは、前記決定に応答して前記時間ウィンドウの間、前記免許不要の無線周波数スペクトル帯域をモニタすることを行うように構成される、
Ｃ１６に記載の装置。
［Ｃ１９］
ワイヤレス通信のための装置であって、
ユーザ機器（ＵＥ）において免許不要の無線周波数スペクトル帯域を通じて所定時間の間に、時間ウィンドウのインジケーションおよびページンググループインジケータを備える送信を受信するための手段と、
前記ページンググループインジケータに基づいて、基地局からのページングメッセージを受信するために前記時間ウィンドウの間、前記免許不要の無線周波数スペクトル帯域をモニタするための手段と
を備える、装置。
［Ｃ２０］
前記所定時間は、クリアチャネルアセスメント（ＣＣＡ）免除送信（ＣＥＴ）プロシージャまたはリッスンビフォートーク（ＬＢＴ）プロシージャに関連付けられる、
Ｃ１９に記載の装置。
［Ｃ２１］
前記ページンググループインジケータが前記ＵＥに関連付けられたページンググループに対応すると決定するための手段をさらに備え、
前記時間ウィンドウの間、前記免許不要の無線周波数スペクトル帯域をモニタするための手段は、前記決定に応答して前記時間ウィンドウの間、前記免許不要の無線周波数スペクトル帯域をモニタするための手段を備える、
Ｃ１９に記載の装置。
［Ｃ２２］
前記基地局からの前記ページングメッセージの終わりのインジケーションを受信するための手段をさらに備える、
Ｃ１９に記載の装置。
［Ｃ２３］
前記時間ウィンドウは、前記送信の直後の期間を備える、
Ｃ１９に記載の装置。
［Ｃ２４］
前記時間ウィンドウの間、前記免許不要の無線周波数スペクトル帯域を前記モニタするための手段は、
前記時間ウィンドウの前に前記ＵＥの受信機をスリープ状態からウェイクアップさせるための手段を備える、
Ｃ１９に記載の装置。
［Ｃ２５］
前記送信は、前記ページングメッセージの少なくとも一部を備える、
Ｃ１９に記載の装置。
［Ｃ２６］
前記ページンググループインジケータは、前記基地局に接続される各ＵＥに対応する、  Ｃ１９に記載の装置。
［Ｃ２７］
前記ページンググループインジケータは、前記基地局に接続されたＵＥのサブセットに対応する、
Ｃ１９に記載の装置。
［Ｃ２８］
前記送信は、複数のページンググループインジケータを備え、前記複数のページンググループインジケータのうちの異なるものについて異なる時間ウィンドウをシグナルする、
Ｃ１９に記載の装置。
［Ｃ２９］
プロセッサによって実行可能な命令を記憶するための非一時的コンピュータ可読媒体であって、
ユーザ機器（ＵＥ）において免許不要の無線周波数スペクトル帯域を通じて所定時間の間に、時間ウィンドウのインジケーションおよびページンググループインジケータを備える送信を受信するための命令と、
前記ページンググループインジケータに基づいて、基地局からのページングメッセージを受信するために前記時間ウィンドウの間、前記免許不要の無線周波数スペクトル帯域をモニタするための命令と
を備える、非一時的コンピュータ可読媒体。
［Ｃ３０］
前記所定時間は、クリアチャネルアセスメント（ＣＣＡ）免除送信（ＣＥＴ）プロシージャまたはリッスンビフォートーク（ＬＢＴ）プロシージャに関連付けられる、
Ｃ２９に記載の非一時的コンピュータ可読媒体。